Podtech/llm-jp-corpus-v4-ja_patent huggingface dataset:
(57)【要約】【課題】本発明は、二酸化チタンの光触媒反応を利用し、ビニールハウス等室内において栽培される農作物、草木の病原菌を駆除する事を提供する。【手段】フィルター不織布等生地に二酸化チタンを被覆。又は二酸化チタンを含有する形成体（１）。被覆体（１）の側面の縁部に折り返し（３）を設け、吊糸（４）を通し設置を可能とする。【選択図】図２
2005137351.tif 000002
【特許請求の範囲】
【請求項１】
不織布等生地（１）に二酸化チタンを被覆し、農作物の病原菌を除去するマット。
【請求項２】
二酸化チタンを含有した形成体（１）により、農作物の病原菌を除去するマット。
【請求項３】
二酸化チタンを被覆した生地に、型抜き部（６）・切断部（５）を設ける。請求項１記載、請求項２記載の使用回数を複数回可能なマット。
【請求項４】
二酸化チタンを塗布する不織布等生地又は含有した形成体（１）に（２）・（３）・（４）を設け、設置を簡素化したマット。
【発明の詳細な説明】
【発明の詳細な説明】
【技術分野】
【０００１】  本発明はビニールハウス等室内において農薬を減少、もしくは使用せず農作物の病原菌を駆除する方法に関するものである。
【背景技術】
【０００２】  従来、農作物や草木の病原菌の除去には、農薬等薬剤散布にてその除去がなされている。
【発明が解決しようとする課題】
【０００３】  農薬等薬剤の散布による、農家自身及び消費者の人体、自然環境への悪影響は周知の事実であり、その影響は計り知れないものがあった。
本発明は、特定農薬に抵触することなく、吊るす・置くだけで農薬の散布量の減少・若しくは農薬を使用せず、以上の問題を軽減、又は解決するようになされたものである。
【課題を解決する手段】
【０００４】  フィルター・不織布・布等生地（１）に二酸化チタンを塗布（又は二酸化チタンを含有する形成体にて）二酸化チタンの皮膜を設ける。
吊るす場合は（２）の吊り金具等を設ける。又は、生地（１）の縁部に吊糸を通す折返し（３）を設ける。ビニールハウス等の内部に糸状の物（４）を張り吊るす。置く場合は、型抜き部（６）を設ける。切断部（５）は形成体を切断する事により、開閉を自由とし、対象農作物・草木の根元を挟込み、脱着を自由にする。
本発明は以上の構成よりなる二酸化チタンの光触媒作用により、室内に於いて栽培される農作物の、病原菌を除去するマットである。
【発明を実施するための最良の形態】
【０００５】  以下、本発明の実施の形態を説明する。
（イ）    フィルター・不織布・布等の生地からなる被覆体（１）  に二酸化チタンを塗布し二酸化チタンの被覆を設ける。若しくは二酸化チタンを含有する形成体。（１）
（ロ）    被覆体（または、形成体）に金具（２）または、縁部に折返し（３）を設ける。吊糸により被覆体（または、形成体）を吊るす。
（ハ）    二酸化チタンの被覆体（１）に型抜き部（６）を設けその片側面に切断部（５）を設ける。
（ニ）    型抜き部（６）は形状を任意とする。
本発明は以上の構成よりなる。
本発明を使用する場合は、吊糸（４）通し、ビニールハウス等に任意に設置する。又、型抜き部（６）及び切断部（５）により、農作物の根元に設置する。（５）（６）により脱着を可能とすることから、再三の使用を可能としている。
【発明の効果】
【０００６】  本発明を使用する事は、吊るす事・置く事で室内に於いて栽培される農作物等の病原菌を除去する事が可能となり、従来の農薬散布量の減少、または農薬等薬剤の散布を無くす。このことから、農作物の安全性を高め、人体・環境への悪影響を軽減、若しくは無くす事ができる。
【図面の簡単な説明】
【図１】本発明の斜視図
【図２】本発明の斜視図
【図３】本発明の斜視図
【符号の説明】
（１）二酸化チタン被覆体（又は二酸化チタンを含有する形成体）、（２）吊り金具、（３）吊糸を通す折り返し、（４）吊糸、（５）切断部、（６）型抜部
【図１】
2005137351.tif 000003
【図２】
2005137351.tif 000004
【図３】
2005137351.tif 000005
(57)【要約】〔課題〕発明は、自然鉱石類に含有する微量元素約５８種より形成する。その微量元素を、超微量、痕跡まで下げて、緑茶に係合させて設けたミネラル入り緑茶を提供する。〔解決の手段〕自然鉱石について２０年余りの研究を通じて痕跡まで、うすめることによって複数の元素、ミネラルの総合を使用することが特徴とする。【選択図】なし【特許請求の範囲】
【請求項１】
自然鉱石類に含有する複数の微量元素とその化合物質を加工して、水溶液をつくり、緑茶と係合させたミネラル入り緑茶。
【発明の詳細な説明】
【発明の詳細な説明】
〔発明の属する技術分野〕
【０００１】本発明は、人体を形成する３６種類の鉱物質の６０％を含む、自然鉱石類を独自製法によって、栄養上、病気治療上にも役立つ超微量ミネラル群を緑茶にかかわり合せたミネラル入り緑茶に関するものである。
〔従来の技術〕
【０００２】従来よりサプリメントやミネラル食品、清涼飲料が多く市販されている。
〔発明が解決しようとする課題〕
【０００３】これらは厚生労働省よりの規定もあって、ミネラル２種から９種類が含む食品であって、人によっては多くの種類のサプリメントを飲む場合、過剰摂取の危険性あり、また、効果のほどは感じない食品ばかりである。このような欠点を除くために、自然鉱石に含む５８種前後の微量元素を利用して、超微量、またわ痕跡程度まで、うすめることによって、従来よりのサプリメントと異なることがない効果あって、免疫機能を回復を助ける効果は、２０年余り歳月かけての研究データーあって結論的に超微量であっても、複数元素を総合することで効果を発する。以上の欠点を解決するためになされたものである。
〔課題を解決するための手段〕
【０００４】自然鉱石類に含有する複数の微量元素とその化合物質を加工して、鉱石によっては岩石化学分析を専門機関に依頼して、元素含有量の計算によっては、鉱石を熱処理して後、水溶液をつくり緑茶と係合させて設けた。
以上の構成よりなるミネラル入り緑茶である。
〔発明の実施の形態〕
【０００５】本発明の実施の形態を説明すると、５８種類の元素が集って自然鉱石が形成されているが、含有する元素量は鉱石によっても差があって、産出する場所によっても違いあるために、岩石を仕入するたびに、医薬品としての検査を行うカナダで、化学分析を済せて量的に調節のため熱処理して、大気中に放出させて使用する。
これを使用するときは、茶を飲む人によって回数の多少ありますが５％の含有に製造するために、上水道の水と同じ計算であり、安全であります。
〔実施例〕
【０００６】自然鉱石に含む複数で総合群ミネラルを、使用するために、日本茶以外の茶、コーヒ、其の他食品に使用したとしても、目的を達することができる。
〔発明の効果〕
【０００７】本発明を使用することによって疲労や病気が気になる人々に役立ち病気予防のための免疫機能を助ける栄養機能食品となります。自然鉱石が原料ですので、無味無臭で味や香りに変化なく、超微量であって痕跡ですので、安全な食品です。
この研究は２０年余り歳月かけて効果の見える食品としての喜びの声を多く聞いています。
(57)【要約】〔課題〕  種子の包含変異からの選拔育種に加えて、環境変異も、固定度は低いが、後代に優良性が伝わる性質があるから、いろいろ有効な処理と選拔を組合わせて、固定化を定着強化して、後代の栽培性の改良を有効にする。〔解決手段〕  厚手のビニールハウス栽培において、ジベレリン水溶液を散布して、効率の良い肥料を施して、肥培、体大化で栽培する過程で、有効特性や、体大化した優良個体を選拔して、この中の体大化した優良個体から種子をとる。  この種子を多量の水あるいは、うすい食塩水でよく洗浄して、脱水し、湿ったまま、相当期間凍結して春化処理をした後、すばやく乾燥して、充分乾燥して、適温に保存して、環境変異を固定化した栽培植物の種苗に供する。【特許請求の範囲】
【請求項１】
植物生長ホルモンや、肥料分、水分を充分に施して、植物体を大形に生育させる。この過程を、ビニールハウス内で栽培し、体大膨潤化を固定化させて、収量の大きい品種を得ようとする育種法。
【請求項２】
請求項１で得られた種子を、洗条、浸種、及び春化処理、乾燥保存を施して、品種の固定化を強化し、あるいは処理世代を重ねる請求項１の育種法。
【発明の詳細な説明】
〔技術分野〕
【０００１】  本発明は、栽培用植物の育種法に関するものである。〔背景技術〕
【０００２】  従来、植物の育種は、一定量の種子に、要求する包含特性の変異が多く含まれるもの、あるいは、交配、交雑によって変異の大きいものをつくり、この包含特性の中から、要求する特性の個体を選拔するのが一般的であった。〔発明の開示〕〔発明が解決しようとする課題〕
【０００３】  従来の、包含変異からの選拔に加えて、環境変異も、固定度は低いが、次の世代にも、少しずつ伝わる傾向をもっているので、要求する性質に環境を変化させて、良好な環境変異をつくり、この環境変異の固定化をはかると、獲得形質して、育種選拔に有効となる。〔課題を解決するための手段〕
【０００４】  この課題を解決するために、次の手段を発見した。  植物に急速で大きな生育をはかるために、ジベレリン等、植物生育ホルモンや効率良い肥料で肥培する過程を、膨潤化と固定をはかるために、厚手のビニールハウス内で栽培する。  また、これにより生産した種子に、充実化、固定化をはかるために、洗浄−乾燥処理及び、春化処理、乾燥処理、保存を施して、固定化の強化をはかる。〔発明の効果〕
【０００５】  植物生長ホルモンで、体大化し、これをビニールハウス内で日照量を減少すると、植物体は柔軟化し、体大化する。  この状態だと、草尤に差が生じやすく、柔軟化することから、体質の充実度が判明しやすくなり、選拔効率が高まる。これらの中の優良固体から選拔されて得られた種子は、固定度は低いが、次世代まで優良特性が持続する。  さらに種皮の表面を、水やうすい食塩水で洗うと、呼吸良好となり、活性が高まり、湿ったまゝ相当期間凍結して、春化処理をすると、種子活性と成熟度が高まり、固定度が高まる。強く乾燥して保存することも、充実と固定に良好な影響を及ぼす。食塩水は、蝋状物質を除き、水素吸着水の構造と構成を安定化する。武村（２００３）は、水及び水の類似体の、物理、化学的性質から、生物の生理生態変化及び進化を推察する方法を提唱している。  水を介して観察できるので、動物にも、植物にも、微生物にも応用できる。  一般に生物は急速な育成や急で大きな運動、日照量の減少、冬眠、休眠、食習性、等多数複雑な要因によって、同化作用に淘汰圧が加わると、内的同化が増加して、貯蔵成分から、必要成分を同化し、脱水重合が増加する。  脱水重合の伴らで生じた活性水及び活性水素が多くなり、活性水が活性水素を吸着すると、表面張力が増加し、吸着膜をつくって分子のまわりをつゝむ。  吸着された水素の側には斥力が生じて、他の多くの水素をとおのける。  他方吸着した水の側には引力が生じて、広く外界から水分子を引よせる。  水素吸着水別名吸着重水ができる。
2005137355.tif 000002
水素吸着水は水分子の大きな集合体で実在している。体内でつくられると、半透膜を透過できないから、長く体内に溜まり、体大膨潤進化をもたらす。  ここで外界が凍結、あるいは強い乾燥で自由水が乏しくなると、吸着によって生じた水を引きよせる吸着の引力は吸着膜の内方に球心的に働き、核心をエネルギッシにして、質量を増加する。2005137355.tif 000003  凍結や強い乾燥の環境下では、水素吸着水を含んだ生物体内は、エネルギーの蓄積がおこり、質量が増す。これは種子では、生育の充実、成熟完了、休眠と生存等の生理作用、春化処理の効果等が生ずる。  吸着によって生じた吸着の引力は、レーザー引力であって、単独引力性、強力性、干渉性等の性質をもつ。  半透膜の不透過性と共に、この干渉性が根強く高分子や核酸等に干渉するために、水素吸着水は、膨潤体大進化や、春化処理効果の原因となる。  水素吸着水は、積乱雲の成分でもあり、結晶形としては、雪版晶体に相当する。他方食塩は、立方体結晶で、各１原子は６原子と結合格子でつながっている。  六方向性結晶のために、食塩水は、水素吸着水の構造と機能を整然とし、安定と強化に影響を及ぼし、干渉を受けやすくなる。〔発明を実施するための最良の形態〕
【０００６】  栽培植物を、日照量を減少し、適度にさえぎる厚手のビニールハウスの中で柔軟に、体大化させ、これにジベレリン等々の植物生長ホルモンを施して、肥培して、良好な、栽培環境で、植物を体大膨潤化させて、栽培植物として良好な状態を保持する。この過程で、特に優良な個体を、必要なだけ選拔して、これから種子を選拔する。また、収穫した優良種子を、多量に水あるいは、淡い食塩水でよく洗浄し、脱水し、湿ったまゝ凍結して、相当期間凍結し、春化処理を施した後、良く乾燥し、種苗に供する。  この栽培法、処理法を数世代くり返すと安定し、効果が一層高まる。〔実施例１〕
【０００７】  厚手のビニールハウス内で、栽培植物を柔軟に体大化し、さらにジベレリン水溶液を数回散布して、肥料を充分与えて肥培体大化して、多収の良好な状態で栽倍する過程で、優良な固体を適当数選拔して、これより種子を収穫する。  種苗用の収穫種子を、布袋に入れて、洗濯機で良く洗った後、脱水器で脱水して、湿ったまゝ、相当期間凍結して、春化処理をした後、良く乾燥し保存する。〔実施例２〕  洗浄した後、うすい食塩水に浸種した後、脱水器で脱水する実施例１の方法。
(57)【要約】【課題】本発明は水中に於いて針部の重さで下に垂れ下がりタテになってしまうイカ角を水平かつ自然に泳がせ視認性を向上させるための補助具である。市販のイカ角に素早く装着でき植毛等の装飾、蛍光発光剤を使うことにより深海での視認性を向上させたイカ角補助具を提供する。【解決手段】プラスッチックやゴムからなる浮力及び弾力性を有する付着体（３）をパイプ状に成型する。付着体（３）の片側に成型時および成型後に切れ目部（７）を設ける。これにより軸部（２）に横から装着でき、素早い脱着が可能になる。形状によってはフック部（８）やストッパー部（１０）を設ける。成型時に蛍光発光剤を使用する。成型時、成型後に植毛等装飾部（９）をイカの種類、季節により適切なものを施す。【選択図】図１
2005137338.tif 000002
【特許請求の範囲】
【請求項１】
イカ角の重い針部側に、浮力を有する付着体を設けることによる水中での水平姿勢の確保とその取り付け位置、簡便性のある脱着機構。
【請求項２】
簡便性のある脱着機構を持つ付着体に蛍光発光剤を使用し深海中での視認性を高めたイカ角補助具。
【請求項３】
簡便性のある脱着機構を持つ付着体に植毛等装飾部を設けることによる視認性の向上を図ったイカ角補助具。
【発明の詳細な説明】
【発明の詳細な説明】
【技術分野】
【０００１】  イカ釣り用の疑似餌であるイカ角に装着させ、その性能を素早く向上させる為の物
【背景技術】
【０００２】市販のイカ角はそのまま使用されていて、イカ角自体に手を加えることは殆んど無い．イカ角は透明プラスチックの軸に気泡入り、鱗状レンズ付き、魚型など視認性向上のため色々な工夫が施されているが、軸前後の重さのバランスが考慮されているものは皆無である。そのため海中ではイカ角が縦になってしまい著しく不自然で、竿をあおった時の動きも悪い。浮きスッテと呼ばれるタイプのイカ角も同様である。唯一トトスッテ類がバランスを考慮したものであるが、空洞のある魚体頭部の中に錘を施し針部との重さのバランスを取っている。その為形が太く、大きくなってしまい繊細なイカ釣りには不向きであった。
【発明が解決しようとする課題】
【０００３】主にイカ角（４）はプラスチックの棒部分と８本の金属の針（１）からなる引っ掛け部分が片方にある為、水中では重い針部（１）が下になり、イカ角（４）がタテにぶら下がった状態になってしまう。小魚や小イカに見せる為の疑似餌であるイカ角（４）がタテに泳ぐことになり、非常に不自然であった。また、市販のイカ角（４）自体に装着できる発光体や装飾品が無く、水深１６０ｍにもなる暗い海の底のイカ釣りに不便を感じていた。本発明は、これらの問題点を解決するためになされたものである。
【課題を解決するための手段】
【０００４】イカ角の針部（１）の手前に、断面が丸で３〜４センチの長さのある軸部（２）がある。その部分は全てのイカ角（４）が円形で太さが殆んど同じ事に着目した。この事により殆んどのイカ角（４）に共用できる補助具、付着体（３）が可能となった。その軸部（２）の直径にあわせたパイプ状で弾力による復元力のある付着体（３）を装着させる。切れ目部（７）が有るため横からの装着が可能である。針部（１）の重みを付着体（３）の浮力で浮かせ、イカ角（４）を水中で水平にさせることが可能になる。また、付着体（３）に蛍光発光剤を使用したり、植毛等装飾部（９）を設けることにより効果を増した。
【発明を実施するための最良の形態】
【０００５】以下、本発明の実施の形態を説明する。
（イ）プラスッチックやゴムからなる弾力性を有する付着体（３）をパイプ状に成型する。
（ロ）付着体（３）の片側に成型時および成型後に切れ目部（７）を設ける。
（ハ）切れ目部（７）補強の為、成型時にフック部（８）やストッパー部（１０）を設けることもある
（ニ）付着体（３）成型時に蛍光剤を使用する。
（ホ）付着体（３）成型時、成型後に植毛等装飾を施すこともある。
（ヘ）付着体の浮力はイカ角の長さとタイプで設定する。
本発明は以上の構成よりなる。
本発明を使用する場合は、イカ角（４）使用時に切れ目部（７）を開き軸部（２）に横から装着させる事ができる。弾力による復元力によりイカ角（４）の軸部（２）に装着される。海底に落下後、その蛍光発光と装飾、水平遊泳によりイカの興味を引き針がかりさせる。使用後はイカ角（４）から取り外し形状、弾力、蛍光を劣化させないため洗浄する。これにより何度でも新しいイカ角（４）に使用することができる。又、バランスを考慮し位置を決め接着剤で固定して使用するのも絶対に外れない為、更に有効である。
【発明の効果】
【０００６】（イ）本発明を使用することにより小魚等に似せた疑似餌であるイカ角（４）を水中で横に泳ぐ自然な状態にすることが可能になった。
（ロ）付着体（３）に蛍光発光性を持たせることにより水深１２０〜１６０ｍもの暗い海中でイカ角（４）の視認性が高まった。
（ハ）付着体（３）に植毛等装飾部（９）を設けることでイカ角（４）に装飾視認性を向上させることができた。
（ニ）横から簡単に装着できる付着体の為、釣り場で敏速に対応することができる。
（ホ）視認性を高める付着体（３）が針に近いためイカの針掛り効率が向上する。
【図面の簡単な説明】
【図１】  本発明のイカ角への装着図
【図２】  本発明の要部拡大斜視図と断面図
【図３】  本発明の展開斜視図と正面図
【符号の説明】
（１）針部（２）軸部（３）付着体（４）イカ角（５）ハリス（６）道糸（７）切れ目部（８）フック部（９）植毛等装飾部（１０）ストッパー部
【図１】
2005137338.tif 000003
【図２】
2005137338.tif 000004
【図３】
2005137338.tif 000005
(57)【要約】【課題】    ブドウ虫を釣針に刺して川に流したときに生じる死後硬直、及び水流水圧による悪影響に対応して良好な餌の姿勢を保持し、イワナやヤマメの釣果を挙げる餌持ちが良好になる渓流用釣針を提供する。【解決手段】    渓流用釣針の巻止め部２を下部へ移動し、巻止め部２の後方にピン１を設けたことを特徴とする。【選択図】      図１
2005137374.tif 000002
【特許請求の範囲】
【請求項１】
渓流用釣針の巻止め部２の後部に、ブドウ虫の死後硬直及び水流水圧などに影響されずにブドウ虫が釣針で安定した姿勢を保持するためのピン１を設けた、餌持ちが良好になる渓流用釣針。
【発明の詳細な説明】
【発明の詳細な説明】
【発明が属する技術分野】
【０００１】  この発明は、イワナやヤマメのように警戒心の非常に強い渓流魚をブドウ虫で容易に釣ることができる、餌持ちが良好になる渓流用釣針に関するものである。
【発明が解決しようとする課題】
【０００２】  渓流釣りでは、従来より現地で川虫をとって餌としていたが、最近では、初心者や中級者の釣り人が現場で川虫が取れない場合を想定して事前にブドウ虫を用意して現地へ向かうと言うケースが増えている。またブドウ虫は、おとなしいことと掴みやすいことから釣針に刺しやすいと言う点、またイワナやヤマメには餌としてのアピール度が高いらしく渓流釣りでは人気がでてきている餌である。
しかし、既存のイワナ針やヤマメ針では、ブドウ虫を刺して川に流した場合、死後硬直と水流水圧によってブドウ虫が針先へ移動してしまい、この結果、釣針の半分近くが警戒心の強いイワナやヤマメには見えている状態であり、大半の人はそれに気がつかずに釣針を流しているのでなかなか釣れ難くいと言う欠点を有していた。
【課題を解決するための手段】
【０００３】  以下に、課題を解決するための手段を図面をもって説明する。
イ  ハリス３を固定するための巻止め部２の位置を、従来の位置から前部へ移動させ後部    に円筒形のピン１を設ける（図１及び図２を参照）。
ロ  巻止め部２の前部に、従来通りハリス３を巻いて固定する（図１、図２及び図３を参    照）。
ハ  ハリス３は、釣針の内側に位置するように設ける（図２及び図３を参照）。
ニ  ピン１の後端部からハリス３が巻き終わる位置までの距離を、ミニマムで３ミリメー    トルが必要である。
【本発明の実施の形態】
【０００４】  本発明の使用方法について説明する。
ブドウ虫４の腹部側の尾部から３〜４ミリメートル位のところから釣針の先端部を刺して、針の先端部をブドウ虫の喉元あたりから出す。このとき、ピン１もブドウ虫４の体内に入れてしまう。つぎに刺し口からピン１が出ないように注意しながら、ピン１がブドウ虫４の尾部５の内部で止まるように設ける（図３を参照）。
このようにすると、ピン１の後端部とハリス３の間にブドウ虫４の尾部５及び側壁６が引っかかるので、ブドウ虫の死後硬直や水流水圧によって今まで生じていた釣針の先端部への餌の移動は無くなった。ブドウ虫が痛むまでの間は、常に餌は良好な状態を保持できるようになった。
ここ３シーズン程試験をしているが、従来品とは比較にならない程の釣果を挙げている。このことは、ブドウ虫の喉元から出ている釣針の先端部以外は体内に隠れてしまうので、警戒心の強いイワナやヤマメには悟られていないと言う効果から生じているものである。
なお、当方には巻止め部を設けるための加工施設がないので、市販のものを使用している。既製品の巻止め部下部に設けられているハリスの固定部を指で下方向へ約３ミリメートル程下げて、瞬間接着剤で固定したもので試験をしている。この３ミリメートルの移動距離とは、後端部に設けられている巻止め部の後端部を含んだ移動距離である。市販品の釣針のハリスの固定位置を単に下げただけなので、バランスが悪くなり魚が外れてしまうことを当初懸念したが、８．０号針であれば８．５号針を使用して後端部のスペースを補填してピン１としている。また、市販されているブドウ虫のサイズには、釣具店によってバラツキはあるが、体長２０ミリメートル前後のサイズでは、７．０号針から９．０号針が対応できる許容範囲と判断する。また従来より、上級者は川虫を使用するため７．０号針以下を使用しているが、本発明は餌がブドウ虫を対象としているので、比較的大きいサイズの釣針を使用している。試験結果では、イワナ、ヤマメ、マス、ハヤにおいては７．０号針から９．０号針を使ってもリリースサイズの１５センチメートル以下のサイズから、大きいものでは２８センチメートルサイズを釣り上げることが可能であることが試験結果として出ている。形状については、従来のイワナ針やヤマメ針はもとよりアマゴ半スレヒネリにおいても本発明は対応可能である。特に形状によっては問題が発生しなかった。
【発明の効果】
【０００５】  本発明は、ブドウ虫の死後硬直や水流水圧による悪条件にも影響されなくなるので、ブドウ虫は水中で良好な姿勢を保持するため、警戒心の強いイワナ、ヤマメなどに悟られたり見切られたりすることがなくなり、従来より、はるかに釣果が挙がるようになった。また、商品的デザイン性は良くないが、初心者でも餌付けが容易にできる。
【図面の簡単な説明】
【図１】本発明を示す側面図である。
【図２】本発明を示す正面図である。
【図３】本発明の使用状態を示す透視側面図である。
【図４】従来の使用状態を示す側面図である。
【符号の説明】
１  ピン
２  巻止め部
３  ハリス
４  ブドウ虫
５  尾部
６  側壁
【図１】
2005137374.tif 000003
【図２】
2005137374.tif 000004
【図３】
2005137374.tif 000005
【図４】
2005137374.tif 000006
(57)【要約】      （修正有）【課題】片手で刈込作業をする際に電動刈込機を保持する手にかかる重量負担を大幅に軽減させ、身体的疲労が少なく、操作性の良い刈込機を提供する。【解決手段】手にフィットして滑り止めにもなる弾性層８をハンドル６からモータハウジング３の側面にかけてブレード４の長手方向に延びるように設けるとともに、モータハウジング３とハンドル６の接合部の形状を最適化して重心７に近い位置を片手で容易に保持することができるようにする。【選択図】図１
2005137329.tif 000002
【特許請求の範囲】
【請求項１】
電動機と、該電動機下方に位置して回転力を往復運動に変換する変換機構と、前記電動機及び前記変換機構を収容するモータハウジングと、前記電動機及び前記変換機構の下方に位置して前記電動機の軸心方向とほぼ直交し且つ前記電動機から離間する方向に延び、前記変換機構を介して前記電動機の回転を受け長手方向に往復運動するブレードと、前記モータハウジングの反ブレード側に接続され、前記電動機の起動を制御するスイッチ部を有するハンドル部を有する電動刈込機において、前記ハンドル部外周の全周もしくは一部から前記モータハウジング側面の一部に渡って、手にフィットして滑り止めにもなる弾性層を前記ブレードの長手方向に延びるように設けたことを特徴とする電動刈込機。
【請求項２】
前記弾性層は二層成形により形成されることを特徴とする請求項１記載の電動刈込機。
【請求項３】
前記ハンドル部外周部分と前記モータハウジング側面とをなだらかなに連続する形状としたことを特徴とする請求項１記載の電動刈込機。
【請求項４】
前記モータハウジングとハンドル部の接合部の上部を凹んだ形状とすることによって、接合部を把持する手の親指と人差し指の間の又の部分が滑らかにフィットする形状となっていることを特徴とする請求項１記載の電動刈込機。
【請求項５】
前記モータハウジングの側面において、内蔵された前記電動機がステータの上方部分で階段状に幅が狭くなるという形状に沿うかたちで前記モータハウジングにも段差部があり、前記段差部より上方でモータハウジングの幅寸法を小さくしていることを特徴とする請求項１記載の電動刈込機。
【請求項６】
前記モータハウジングの段差部より上方において前記ハンドル部が接合することにより、前記接合部におけるモータハウジングとハンドルの幅寸法の差を小さくしていることを特徴とする請求項４記載の電動刈込機。
【発明の詳細な説明】
【技術分野】
【０００１】
本発明は生垣や植木等の刈込をする電動刈込機に関するものである。
【背景技術】
【０００２】
従来の電動刈込機を図4と図５を用いて説明する。
【０００３】
図４に示す通り、ハンドル部外周の全周もしくは一部からモータハウジング側面の一部に渡って、ブレードの長手方向に延びる弾性層は設けられていなかった。図５のＣ−Ｃ線断面外形図に示す通り、モータハウジングとハンドルの接合部の側面における、ブレードにおよそ平行で長手方向の断面形状において、モータハウジングとハンドルの幅寸法の差が大きいために段差もしくは急激な形状の変化があった。
【発明の開示】
【発明が解決しようとする課題】
【０００４】
生垣や植木等の刈込作業では脚立等の足場に乗って作業する場合があるが、この場合は作業者の落下防止のために一方の手で体を支え、もう一方の手で刈込機を保持して作業する必要が生じる。ところが、従来の刈込機で片手でスイッチを有するハンドルを把持して作業する場合には、スイッチから反ブレード側の位置でハンドルを把持する必要があるが、これはモータハウジングよりブレード側にある重心からは離間する方向であるため、刈込作業時にハンドルを把持している手に大きな重量負担がかかるという欠点があった。
【０００５】
本発明の目的は、上記従来の欠点を解消し、片手作業において従来よりも重心に近い位置で電動刈込機を保持することができる構成とすることにより、片手作業時の重量負担が軽く、操作性の良い刈込機を提供することである。
【課題を解決するための手段】
【０００６】
上記目的は、ハンドル部外周部分とモータハウジング側面とをなだらかなに連続する形状とし、ハンドル部外周の全周もしくは一部からモータハウジング側面の一部に渡って、手にフィットして滑り止めにもなる弾性層をブレードの長手方向に延びるように設けるという構成とすることにより達成することができる。
【発明の効果】
【０００７】
本発明によれば、本体の重心に近い位置を片手で自然な形で把持することができるようになり、操作性の良い刈込機を提供することができる。
【発明を実施するための最良の形態】
【０００８】
本発明電動工具の一実施形態を図１〜図３を用いて説明する。
【０００９】
図１に示す通り、ハンドル部６外周からモータハウジング３側面の一部に渡って、弾性層８をブレード４の長手方向に延びるように設けている。また、図３のＡ−Ａ線断面外形図に示す通り、モータハウジング３側面においてハンドル６との接合部をハンドルの幅に近い寸法まで絞り込んで、前方に向かって緩やかに広がり、なだらかなに連続する形状とすることによって、無理なく指をモータハウジング３の側面へと沿わせることができる。また、このときに手が触れる範囲に弾性層８が設けられることによって手にフィットし、滑り止めの効果が得られる。また、図１のＢに示す通り、モータハウジング３とハンドル６との接合部の上面を緩やかに凹んだ形状とすることで把持する手の親指と人差し指の間の又の部分の収まりが良くなり、手のひら全体が滑らかにフィットする形状としている。その結果、従来よりも刈込機の重心７に近い位置１０を片手で自然な形で把持することができる。また、接合部を把持した場合にも十分に操作ができる位置に電源スイッチ５を設けたことにより、片手作業時にも準分にスイッチ操作ができる。
【図面の簡単な説明】
【００１０】
【図１】本発明電動刈込機の一実施形態を示す正面図。
【図２】本発明電動工具の内部項造の一実施形態を示す断面図。
【図３】図１のＡ−Ａ線断面外形図。
【図４】従来の電動刈込機の一例を示す正面図。
【図５】図４のＣ−Ｃ線断面外形図。
【符号の説明】
【００１１】
１は電動機、２は回転力を往復運動に変換する変換機構、３はモータハウジング、４はブレード、５はスイッチ、６はハンドル、７は草刈機のおよその重心位置、８は弾性層、９は電動機のステータ部、１０は片手作業時に把持する手のおよその中心位置である。
【図１】
2005137329.tif 000003
【図２】
2005137329.tif 000004
【図３】
2005137329.tif 000005
【図４】
2005137329.tif 000006
【図５】
2005137329.tif 000007
(57)【要約】【課題】シシャモ卵は、そのままではボロボロと崩れやすく、魚肉のように常に一定の形を保ち得ないためにチーズと一体化することが難しい。【解決手段】食塩と調味エキスで味付けした白身魚のすり身のピックル２中に、シシャモ卵１とチーズ小片３を混入することにより、シシャモ卵１とチーズ３をピックル２のの結着物中に一体化し、かまぼこ状のピックル２とシシャモ卵１とチーズ３のそれぞれの食味と食感を融合させ。【選択図】図１
2005137325.tif 000002
【特許請求の範囲】
【請求項１】
食塩と調味エキスで味付けした白身魚のすり身の一口大の結着物中に、シシャモ卵とチーズ小片を混入してなるシシャモ卵入り珍味食品。
【請求項２】
食塩と調味エキスで味付けした白身魚のすり身中にシシャモ卵とチーズ小片を加えて混合し、これを直径40mm以下の柔軟なチューブ状のケーシング中に充填して細長棒状の成形体を作成し、この成形体を70〜100℃の温度で加熱した後、前記ケーシングから中身を取り出して一口サイズに切断し、各切断片を真空個包装することを特徴とするシシャモ卵入り珍味食品の製造方法。
【発明の詳細な説明】
【技術分野】
【０００１】
本発明は、シシャモの卵とチーズを白身魚のすり身に混入したシシャモ卵入り珍味食品及びその製造方法に関するものである。
【背景技術】
【０００２】
出願人等は、かつおやまぐろ等の魚肉を一口サイズに裁断してしょう油をベースとした甘辛の調味液で角煮風に味付けし、これを乾燥後その上にプロセスチーズを載せて溶融一体化した珍味食品を以前に開発し、今日まで１０数年の間全国に販売して広く知られるに至っている。
【０００３】
このような魚肉とチーズを合わせた角煮風に味付けした魚肉とチーズが味覚的にマッチングし、相互の味覚が渾然一体化して魚肉には無い独特のまろやかな味覚をもたらすことを見出したものである。
【０００４】
そこで出願人等は、魚肉の他にチーズと合わせて新たな珍味食品が得られないものかと思案した結果、酒の肴としてよく食されているシシャモに着目し、特に卵を抱いたシシャモがその卵の食味と食感から多くの消費者に好まれていることから、このシシャモの卵の食味と食感を利用してチーズと合わせた珍味食品の開発を試みた。
【０００５】
しかしこのシシャモ卵は、そのままではボロボロと崩れやすく、魚肉のように常に一定の形を保ち得ないためにチーズと一体化することが難しく、新たな食品構造と製法の開発が必要になった。
【０００６】
【特許文献１】実用新案登録第３０２４８３７号公報
【発明の開示】
【発明が解決しようとする課題】
【０００７】
解決しようとする問題点は、シシャモ卵は、そのままではボロボロと崩れやすく、魚肉のように常に一定の形を保ち得ないためにチーズと一体化することが難しい点である。
【課題を解決するための手段】
【０００８】
本発明は、食塩と調味エキスで味付けした白身魚のすり身からなるピックル中に、シシャモ卵とチーズ小片を混入することにより、シシャモ卵とチーズを白身魚のすり身の結着物中に一体化し、かまぼこ状のすり身とシシャモ卵とチーズのそれぞれの食味と食感を融合させたことを最も主要な特徴とする。
【発明の効果】
【０００９】
白身魚のすり身中に、シシャモ卵とチーズ小片を混入することにより、シシャモ卵とチーズをすり身結着物中に一体化し、かまぼこ状のすり身とシシャモ卵とチーズのそれぞれの食味と食感を融合した新たな食味、特にシシャモ卵のプチプチとした食感とチーズの柔らかな食感が加味された珍味食品が得られる。
【発明を実施するための最良の形態】
【００１０】
シシャモ卵とチーズを一体化した珍味食品を得るという目的を、白身魚のすり身中にシシャモ卵とチーズ小片を混入すること、そしてシシャモ卵とチーズを混入したすり身を柔軟なチューブ状のケーシング中に充填して細長棒状の成形体とし、これを加熱後中身を取り出して小片状に切断することで実現した。
【実施例１】
【００１１】
まず、冷凍したシシャモ卵１を解凍して冷蔵庫内で塩水、望ましくはこれに野菜エキス、燻液等の調味液を混合した塩水に５〜１２時間程度漬け込む（塩水や調味液はシシャモ卵の生臭さを和らげるため）。
【００１２】
一方、主としてすけとう、その他ほっけ、グチ、キス等の白身魚のすり身（５０〜６０％）に食塩その他の調味料、結着材、着色料、香料等（３０〜４０％）を加えて混練し、ピックル２を製造する。
【００１３】
すり身に加える具体的材料として一例を示せば、かつおエキス及びオニオンエキス等の調味エキス、ポリリン酸（重合リン酸塩）及び小麦粉等の結着剤ないし増量材、ソルビット及び砂糖等の甘味料、着色料、燻液、グルタミン酸ソーダ、魚醤等を適量配合する。
【００１４】
このように味付けして調整したすけとうのピックル２に、上記塩水に漬け込んで脱水したシシャモ卵１と５mm角前後に裁断したプロセスチーズ等の耐熱チーズ小片３を適量加えて混合する。
【００１５】
ピックル２に対するシシャモ卵１とチーズ小片３の配合量は、その多少によって製品全体の食感や味覚が若干変化するが、特に限定するものではなく、シシャモ卵１はプチプチとした食感があまりしつこくなく、かつあまり散漫にならない適度に得られる量を、またチーズ小片３はそのマイルドな味覚と柔らかな食感が適度に得られる程度の量をそれぞれ配合すればよく、例えば、ピックル４０〜５０％、シシャモ卵４０〜６０％、チーズ小片１０〜２０％程度の配合割合とすることが、多数の配合の異なるサンプルの試食実験（性別、年齢を異にする多数の試食者による）によって概ね好評であることが分かった。
【００１６】
次に、このようにしてシシャモ卵１とチーズ小片３を加えて混練した生のピックルを、柔軟性を有する直径３０mm、長さ５〜２０ｍの柔軟なチューブ状のケーシング（直径２０〜４０mm程度が好ましい）中に充填し、細長棒状の成形体を製造し、これを加熱室内に入れて室内に供給した加熱蒸気により７０〜１００℃で１〜２時間程度加熱し、シシャモ卵１とチーズ小片３を混入した状態でピップル（すり身）を結着させる。
【００１７】
加熱を終了した成形体は乾燥室内に入れて９０〜１００℃で１〜３時間加熱乾燥する。
【００１８】
乾燥後は放冷して成形体のケーシングを剥がし、中身を取り出してスライサーで所定厚み（例えば、８〜１５mm程度）に裁断して一口サイズの珍味食品本体４を製造し、これらを真空個包装機により個包装５し、さらに保存性を高めるために加熱殺菌して製品とする。
【産業上の利用可能性】
【００１９】
従来にないシシャモ卵の食味と食感を持った新たな珍味食品を市場に提供し、消費者の嗜好に応えて珍味食品の消費を拡大する。
【図面の簡単な説明】
【００２０】
【図１】この発明の珍味食品の縦断面図である。（実施例１）
【符号の説明】
【００２１】
１    シシャモ卵
２    ピックル
３    耐熱チーズ小片
４    珍味食品本体
５    個包装
【図１】
2005137325.tif 000003
(57)【要約】【課題】この考案は、建設工事現場での作業者や通行人及び運転手の方々に、一時でも良い印象を持ってもらうよう、工事現場の環境を整備し、その中に緑や花の置ける場所を設け、見る人の心に安らぎを与えられる施設がほしいものである。【解決手段】本発明の建設工事用案内板及び安全柵とプランターとの一体化出来る構造のプランターを利用し、そのプランターに緑や花を植栽し、その上に案内板や安全柵を設ければ、現場環境が好適になることを要旨とする。【選択図】図１
2005137341.tif 000002
【特許請求の範囲】
【請求項１】
建築工事用案内板及び安全柵とプランターとの一体化できる構造のプランター。
【請求項２】
請求項１の連結式プランター。
【請求項３】
請求項１、２のプランターを、廃プラスチックを原料として製作した製品。
【発明の詳細な説明】
【技術分野】
【０００１】  本発明は、工事用案内板及び安全柵との一体化出来る構造を持つプランターに関するものである。
【背景技術】
【０００２】  建設工事用案内板は案内板の下部に砂袋等の重しを載せるものや、杭を打ち込みその杭にくくりつけられているものが大半である。【０００３】  建設工事用安全柵は、安全柵の根本に不倒防止の基礎材等に差し込んであったり、固定具に鋼管を通し、その鋼管に安全柵を取り付けてあるのがほとんどである。【０００４】  特に案内板は風穴がない為に砂袋等の重しを使用している時に少し強い風が吹くとすぐに倒れ、通る人や車の邪魔になることが多い。【０００５】  建設工事用案内板及び安全柵の設置場所は殺風景で通る人や運転手の人々に良い印象を与えない。
【発明の開示】
【発明が解決しようとする課題】
【０００６】  解決しようとする問題点は、工事現場の作業者や通行人及び運転手の方々に一時でも良い印象を持ってもらえるよう、建設工事現場の環境を整備し、その中に緑や花の置ける場所をもうけ、見る人の心の安らぎを与えられる施設がほしいものである。
【課題を解決するための手段】
【０００７】  本発明の建設工事用案内板及び安全柵とプランターとの一体化出来る構造のプランターを利用し、そのプランターに緑や花を植栽し、その上に案内板や安全柵を設ければ、現場環境が好適になることを要旨とするものである。
【発明の効果】
【０００８】  本発明の廃プラスチック利用で、建設工事用案内板及び安全柵と一体化出来る構造のプランターに緑や花を植栽することにより、現場環境が好適になると同時に作業者や通行人及び運転手の方々に癒しの心を与える。
【発明を実施するための最良の形態】
【０００９】  廃プラスチックを原料として成型されたプランターに建設工事用案内板や安全柵などと一体化出来る構造となし、そのプランターに植栽することにより作業環境が好適になることが実現した。
【実施例１】
【００１０】  図１は、本発明に係る建設工事用案内板とプランターとの一体化図である。【００１１】  図２は、本発明に係る建設工事用案内板をプランターに取り付けられる構造を示す。【００１２】  図３は、本発明に係る建設工事用安全柵とプランターとの一体化図である。【００１３】  図４は、本発明に係る建設工事用安全柵をプランターに取り付けられる構造を示す。
【産業上の利用可能性】
【００１４】  建設工事現場の殺風景な環境を緑や花を添えることにより、現場環境が好適になると同時に通行する人々に安らぎの心が生まれる。【００１５】  廃プラスチックを原料に使用するので、廃棄物の有効利用と省資源につながり、リサイクル促進の一助となる。
【図面の簡単な説明】
【００１６】
【図１】工事用案内板との一体化図である。
【図２】工事用案内板の取付け具位置図である。
【図３】工事用安全柵との一体化図である。
【図４】工事用安全柵との取付け具位置図である。
【符号の説明】
【００１７】１  プランター本体
２  取付け具位置
３  植栽用草・花
４  案内板
５  安全柵
６  連結用具
【図１】
2005137341.tif 000003
【図２】
2005137341.tif 000004
【図３】
2005137341.tif 000005
【図４】
2005137341.tif 000006
(57)【要約】【課題】ひも固定具とひもからなる吊り上げ具をバケツ取っ手に取り付け、ひも固定具の重さによりバケツ取っ手を水面下に沈み込ませ、これに伴ってバケツ開口部縁の一端を水面下に沈み込ませることによって、水汲みを容易にする水汲みバケツ用の吊り上げ具を提供する。【解決手段】水面に浮かぶバケツの開口部縁の一端を水面下に引き沈めることができる重さを有するひも固定具とひもにより構成される水汲みバケツの吊り上げ具である。【選択図】図１
2005137345.tif 000002
【特許請求の範囲】
【請求項１】
水面に浮かぶバケツの開口部縁の一端を水面下に引き沈めることができる重さを有するひも固定具とひもにより構成される水汲みバケツの吊り上げ具。
【発明の詳細な説明】
【技術分野】
【０００１】この発明はバケツで水を汲むときに使用する吊り上げ具に関するものである。
【背景技術】
【０００２】手の届かない低所から水を汲むときは、ひもで吊り下げたバケツで水を汲み上げていたが、バケツの浮力のため、水が容易にバケツに入らなかった。これを容易にするため、バケツ開口部縁の一端に錘を取り付けてバケツ開口部を下に向くようにして、水が入りやすくするなどの技術が開発されていた。
【発明の開示】
【発明が解決しようとする課題】
【０００３】従来の技術には、次のような欠点があった。
（イ）バケツ本体への錘取り付け加工が必要となる。
【課題を解決するための手段】
【０００４】水面に浮かぶバケツの開口部縁の一端を水面下に沈めることができる重さを有するひも固定具とひもにより構成される水汲みバケツの吊り上げ具である。
【発明の効果】
【０００５】バケツ取っ手への取付け、取外しができる構造であるため、バケツ本体への錘取り付け加工が不要となると共に、錘が取り付いていない一般のバケツを使用することができる。
【発明を実施するための最良の形態】
【０００６】以下、本発明の実施の形態について説明する。
（イ）ひも固定具２を使用して、ひも１をバケツ取っ手５に取り付ける。
（ロ）ひも固定具２は例えば図１のような形状のもので、バケツ６の開口部縁７の一端を水面８下に沈めることのできる重さを有する。
本発明は以上のような構成で、これを使用するときは、ひも１に吊り下げたバケツ６を水面８上に下ろし、ひも１を更に緩めていくと、バケツ取っ手５はひも固定具２の重量により水面８下に沈み込み、これに伴いバケツ６の開口部縁７の一端が水面８下に沈み、水がバケツ６に入る。水が入ったらひも１を引き上げ、バケツ６を引き上げて水を汲み上げる。
吊り上げ具のバケツ取っ手５への取り付けは、バケツ取っ手５へひも１を回し掛けしてから、ひも挿入取外し用開口４にひも１を挿入し、図１に示すようにひも端部３をひも挿入取外し用開口４の外側に出してからひも１を図１の上部側に引き絞ることにより行える。
吊り上げ具のバケツ取っ手５からの取り外しは、ひも端部３側からひも１をひも挿入取外し用開口４から引き出すことにより容易に行える。
【図面の簡単な説明】
【０００７】
【図１】本発明の斜視図
【図２】本発明の取り付け正面図
【図３】本発明の使用時側面図
【符号の説明】
【０００８】  １  ひも
２  ひも固定具
３  ひも端部
４  ひも挿入取外し用開口
５  バケツ取っ手
６  バケツ
７  バケツ開口部縁
８  水面
【図１】
2005137345.tif 000003
【図２】
2005137345.tif 000004
【図３】
2005137345.tif 000005
(57)【要約】【課題】実用餌料同等以上にアワビが成長し、かつ海水中での良好な保形性を得ることを可能とする。【解決手段】栄養価の高い混合物を調整することにより、アワビの成長を促進させる。また、澱粉をバインダーとして用い、かつ少ない水分量で澱粉を糊化させることにより、海水中での良好な保形性を得る。【選択図】  図１
2005137347.tif 000002
【特許請求の範囲】
【請求項１】
アワビの配合餌料において、（ｉ）澱粉、混合物の約３０〜４２重量％の量、（ｉｉ）動物性タンパク質、混合物の約２０〜３８重量％の量、（ｉｉｉ）植物性タンパク質、混合物の約１０〜２８重量％の量、（ｉｖ）海藻粉末、混合物の約５〜１５重量％の量、（ｖ）スピルリナ、混合物の約０〜４重量％の量、（ｖｉ）カゼイン、混合物の約１〜７重量％の量及び（ｖｉｉ）水、混合物の１０〜５０重量％の重量比で混合するアワビ用餌料組成物。
【発明の詳細な説明】
【技術分野】
【０００１】  本発明は、成長が良く海水中での保形性が良いアワビ用配合餌料に関するものである。
【背景技術】
【０００２】  アワビ養殖用餌料において、配合餌料はコンブに比べ給餌作業の負担が少なく、確保が容易であり、成長が良いという利点があるので、現在最も普及している。しかし、実用の配合餌料は、海水中での保形性が悪く３〜５日で溶解してしまうことから、それ以上給餌間隔を延長することができないため、給餌作業に大きな労力を要するという欠点があった。
【発明の開示】
【発明が解決しようとする課題】
【０００３】  解決しようとする問題点は、実用の配合餌料と同等以上に成長し、海水中での保形性が良い餌料を開発することである。
【課題を解決するための手段】
【０００４】  本発明は、アワビの成長を促進させるため、栄養価の高い混合物を調整すること、並びに海水中での良好な保形性を得るため、澱粉をバインダーとすることを特徴とする。混合物は（ｉ）澱粉、混合物の約３０〜４２重量％の量、（ｉｉ）動物性タンパク質、混合物の約２０〜３８重量％の量、（ｉｉｉ）植物性タンパク質、混合物の約１０〜２８重量％の量、（ｉｖ）海藻粉末、混合物の約５〜１５重量％の量、（ｖ）スピルリナ、混合物の約０〜４重量％の量、（ｖｉ）カゼイン、混合物の約１〜７重量％の量及び（Ｖｉｉ）水、混合物の１０〜５０重量％の重量比で混合する。
【発明の効果】
【０００５】  混合物にタンパク質を強化することでアワビの成長を促進することができる。また、バインダーである澱粉を少ない水分量で糊化させることにより、良好な保形性を得ることがことができるという特徴がある。
【発明を実施するための最良の形態】
【０００６】  混合物の割合を調整することによって、実用の配合餌料の成長に遜色なく、通常の２倍以上の給餌間隔の延長が可能となった。
【実施例】
【０００７】  表１は本発明の混合物の割合であって、北洋ミール、大豆粕、海藻粉末、スピルリナ、カゼイン、そしてバインダーである澱粉を混合し、水を加え餌料成型機を用いて成型処理を行う。【０００８】  図１は餌料成型機を示したものである。供給装置１、混合機２を介して押出機３に入った原料は、交流電動機を駆動装置４とするスクリューの回転により先端へ送られ、その間に粉砕、せん断、混合、圧縮、加熱といった機械処理が施され、押出機先端に取り付けられたダイ５で成型する。前処理として、押出機に原料を供給する前に蒸気または水を注入して加湿、加熱しながら混合することなどで特に微量の水分を添加する際に有効である。また、この前処理で押出機で物理的性質を変えておくことによって押出機の効率が上げられるようにもなる。【０００９】
【表１】
2005137347.tif 000003
【産業上の利用可能性】
【００１０】  海水中の保形性が良好であり、実用餌料の２倍以上の給餌間隔が可能であることから、給餌作業の労力を大きく削減できる。また、潜水給餌を伴うアワビ養殖にも適用できる、
【図面の簡単な説明】
【００１１】
【図１】餌料成型機を示したものである。
【符号の説明】
【００１２】  １  原料供給装置
２  混合機
３  押出機
４  駆動装置
５  ダイ
【図１】
2005137347.tif 000004
(57)【要約】【課題】飲料用レンゲ草ジュース、製造工程作業において、レンゲ草の花びらが弾ける前に刈り取って、花びらに含まれている蜜を流失させないように洗浄すること、又レンゲ草の刈り取り時期を考慮して短時間に収穫することである。【解決手段】レンゲ草の花の部分と、茎葉の部分とを切り離し、別々に洗浄作業を行って、花びらに含まれている、蜜を流失しないように、地面で花がさいているように立て掛けて、花の上部５０ｃｍぐらいの高さから、空から霧雨が降ってるように、改良した。専用のシャワーでなるべく、短時間に洗浄することである。【選択図】なし。【特許請求の範囲】
【請求項１】
レンゲ草の花びらに含まれている蜜を失わないように、刈り取る時期、花が咲き初めてから約１週間以内。
処理方法、先に花の部分を刈り取る。
洗浄するときは、花を上向きに立て掛け、上部から改良した専用のシャワーで、霧雨のような水を降らせて、蜜の流失を防ぐなどを特長とした製造方法である。
【請求項２】
刈り取って洗浄したレンゲ草を熱湯で茹でる、同時に中和剤、タンサンを混ぜてアクを少なくする。
茹で湯の水分を取り除いてから圧縮機を使用してジュース液を作る、これに調味料、蜂蜜を加えて飲料ジュースとする。
【発明の詳細な説明】
【技術分野】
【０００１】  この発明は、レンゲ草を絞った飲料用ジュースの中に、花びらに含まれる蜜を有効に、かつ最大限に取り入れる製造方法に関するものである。【０００２】  野菜、果樹類からジュースを製造する工程の中には、必ず洗浄作業が含まれる。
一般的な作業としては、水槽、又は水道用シャワーで洗浄されている。
この方法では、花びらの蜜が流失してしまう。【０００３】  この改善策の背景技術として、噴霧器の原理を応用して、改良シャワーの研究開発を行った。
さらに、レンゲ草の花びらに含まれる蜜を流失させないように、花を上向きに立て掛け、花の上部から霧雨のように、水圧の低い霧雨をふらせることによって、蜜の流失を防ぐことができた。
【発明の開示】
【発明が解決しようとする課題】
【０００４】  本発明者は、現在行われている洗浄方法の欠点をなくして、花びらに含まれている蜜を流失させないように、最大限に摘出できるよう研究を重ねた。
【課題を解決するための手段】
【０００５】  その結果、茎葉と花の刈り取り時期に注目した。
レンゲ草の花が咲き初めてから、１週間ぐらいの間はまだ蜜は花びらに包まれた状態である。
花びらがはじけると、洗浄したとき蜜が水に流れてしまう。
従って咲き初めてから、１週間以内が適当である。
洗浄方法については、蜜を含んでいる花の部分を特に丁寧に取り扱う。
茎葉と花びら部分を別々に刈り取った、花の部分を上向きに立て掛けて、上部から霧雨が降るように、水圧を調整して霧を降らせることによって、蜜の流失を防ぐことができた。
目的に合うことをつきとめ完成させた。
【発明の効果】
【０００６】  本発明によれば、蜜を多量に含んだ、レンゲ草ジュースの実現ができる。
又絞った粕の再利用で、低価格の有機肥料となる。
昔のような有機農業の発展、復活が期待できる。
【本発明を実施するための最良の形態】
【０００７】  水田で３０ｃｍ〜５０ｃｍ程に生長した、満開に咲いている、レンゲ草の花の部分を最初に刈り取る。
次に地面上１０ｃｍ程の高さで、茎葉を刈り取る。
刈り取る時期については、花が咲き初めてから約１週間以内の期間ならば、蜜は花びらに包まれた状態であるので、流失しにくい。
レンゲ草を刈り取る作業手順は、先ず花の部分から刈り取る。
次に地面上１０ｃｍ程の高さのところから、茎葉の部分を刈り取る。
洗浄作業は、刈り取った花びらに含まれている、蜜を流失しないように、花びらを上向きに立て掛け、特に花びらの洗浄は短時間に、改良したシャワーで霧雨が空から降ってくるように花の上部５０ｃｍぐらいの高さから降らせて洗浄する。
洗浄で濡れた花の部分の水分を乾燥機で取り除く。
茎葉の部分の洗浄は、一般的に現在実施されている方法の水槽、又は水道用シャワーで洗浄する。
水分を取り除いた花の部分を、専用の電動ジューサーを使用して、蜜入りジュースを製造する。
花の部分のジュースを濾過器、又は細目の布で不純物を取り除く。
別々の作業で不純物を取り除いた、花の部分と、茎葉の部分を混合してから、これに中和剤タンサンを混入する、比率は、ジュース１Ｌに対しタンサン約０．２ｇ混ぜる。これはアクを少なくすることにある。
レンゲ草ジュースの仕上がりとして、調味料を少々入れ飲料しやすくする。
さらに８０℃前後の温度で約５分程加熱し、殺菌して、レンゲ草ジュースの完成となる。
【図面の簡単な説明】
【０００８】
【図１】レンゲ草ジュース製造方法に関する工程説明図である。（実施例１）  上記製造工程図の説明  作業手順▲１▼点線内の花びらを刈り取ることから始まる。  次に▲２▼点線内の茎葉を刈り取る。  ▲３▼からは工場内作業である、花びらに含まれる蜜を考慮することで▲３Ａ▼と２手に分かれ、別々の作業工程となる。  ▲３▼から▲６▼までの工程では、特に丁寧な作業を行う、蜜を流失させないことにある。  ▲３Ａ▼から▲６Ｄ▼までは、一般的な洗浄方法である。  ▲７▼から▲８▼と再び合流工程作業となる、これは飲料レンゲ草ジュースとして生産性を高めるためである▲９▼完成
【図１】
2005137344.tif 000002